【事件の表示】
　特許第３２４５９３８号「レーザプリンタ」の請求項１、２に係る特許に対する特許異議の申立てについて、次のとおり決定する。
【結　論】
　訂正を認める。
　特許第３２４５９３８号の請求項１ないし２に係る特許を維持する。
【理　由】
１．手続の経緯
　本件特許第３２４５９３８号の請求項１及び２に係る発明は、平成４年３月２６日に特許出願され、平成１３年１１月２日に設定登録がなされ、藤田敬一より特許異議の申立がなされ、取消理由通知がなされ、その指定期間内である平成１４年１１月２６日に訂正請求がなされ、再度、取消理由通知がなされ、平成１５年３月１４日に前記訂正請求は取り下げられると共に新たに訂正請求がなされたものである。
２．訂正の適否について
　ア．訂正の内容
　訂正事項ａ
　特許請求の範囲における請求項１に係る記載
「【請求項１】　回転ミラーにより走査されるレーザ光を周期的に受光する受光手段の出力をラインシンクとして用いて、プロッタ制御部に供給するレーザプリンタにおいて、前記受光手段の出力をＡ／Ｄ変換して制御装置に取り込み、
前記プロッタ制御部からの１ライン終了毎の信号を基に前記制御装置でラインシンク・イネーブル信号を作成して、該イネーブル信号により前記受光手段の出力をラインシンクとして前記プロッタ制御部に供給する如く構成したことを特徴とするレーザプリンタ。」を、
「【請求項１】　回転ミラーにより走査されるレーザ光を周期的に受光する受光手段の出力をラインシンクとして用いて、プロッタ制御部に供給するレーザプリンタにおいて、前記受光手段の出力をＡ／Ｄ変換して制御装置に取り込み、
該制御装置で前記プロッタ制御部からのＡＣＫの入力を監視し、一定期間ＡＣＫが入力されなかったら、１ラインが終了したものとして、ラインシンク・イネーブル信号を作成し、該ラインシンク・イネーブル信号により前記受光手段の出力をラインシンク出力として前記プロッタ制御部に供給する如く構成したことを特徴とするレーザプリンタ。」と訂正する。
　訂正事項ｂ
　特許請求の範囲における請求項２に係る記載
「【請求項２】　前記制御装置で、ラインシンク入力幅を検出して該検出結果に基づいて前記ラインシンク・イネーブル信号を作成し、該イネーブル信号により前記受光手段の出力をラインシンクとして前記プロッタ制御部に供給する如く構成したことを特徴とする請求項１記載のレーザプリンタ。される。」を、
「【請求項２】　前記制御装置で、ラインシンク入力幅を検出して該検出結果に基づいて前記ラインシンク・イネーブル信号を作成し、該ラインシンク・イネーブル信号により前記受光手段の出力をラインシンク出力として前記プロッタ制御部に供給する如く構成したことを特徴とする請求項１記載のレーザプリンタ。」と訂正する。
　訂正事項ｃ
　特許明細書の段落【０００４】【課題を解決するための手段】に係る記載
「本発明の上記目的は、回転ミラーにより走査されるレーザ光を周期的に受光する受光手段の出力をラインシンクとして用いて、プロッタ制御部に供給するレーザプリンタにおいて、前記受光手段の出力をＡ／Ｄ変換して制御装置に取り込み、前記プロッタ制御部からの１ライン終了毎の信号を基に前記制御装置でラインシンク・イネーブル信号を作成して、該イネーブル信号により前記受光手段の出力をラインシンクとして前記プロッタ制御部に供給する如く構成したことを特徴とするレーザプリンタによって達成される。」を、
「本発明の上記目的は、回転ミラーにより走査されるレーザ光を周期的に受光する受光手段の出力をラインシンクとして用いて、プロッタ制御部に供給するレーザプリンタにおいて、前記受光手段の出力をＡ／Ｄ変換して制御装置に取り込み、該制御装置で前記プロッタ制御部からのＡＣＫの入力を監視し、一定期間ＡＣＫが入力されなかったら、１ラインが終了したものとして、ラインシンク・イネーブル信号を作成し、該ラインシンク・イネーブル信号により前記受光手段の出力をラインシンク出力として前記プロッタ制御部に供給する如く構成したことを特徴とするレーザプリンタによって達成される。」と訂正する。
　訂正事項ｄ
　特許明細書の段落【０００８】に記載の「・・・、請求項３に・・・」を「・・・、請求項２に・・・」と訂正する。
　イ．訂正の目的の適否、新規事項の有無及び拡張・変更の存否
　訂正事項ａについて
　この訂正事項ａは、特許請求の範囲の減縮、誤記の訂正及び明りょうでない記載の釈明に該当し、特許明細書の段落【０００６】及び【０００７】の記載から直接的かつ一義的に導き出せる事項であるから、新規事項の追加に該当せず、実質的に特許請求の範囲を拡張又は変更するものではない。
　訂正事項ｂについて
　この訂正事項ｂは、誤記の訂正及び明りょうでない記載の釈明に該当し、特許明細書の段落【０００６】及び【０００７】の記載から直接的かつ一義的に導き出せる事項であるから、新規事項の追加に該当せず、実質的に特許請求の範囲を拡張又は変更するものではない。
　訂正事項ｃについて
　この訂正事項ｃは、上記訂正事項ａに整合するように特許明細書の段落【０００４】の【課題を解決するための手段】の記載を訂正するものであるから、明りょうでない記載の釈明に該当し、新規事項の追加に該当せず、実質的に特許請求の範囲を拡張又は変更するものではない。
　ウ．むすび
　以上のとおり、上記訂正請求は、特許法第１２０条の４第３項で準用する平成６年法律第１１６号による改正前の特許法第１２６条第１項ただし書き、第２項及び第３項の規定に適合するので、当該訂正を認める。
３．特許異議申立について
　ア．本件発明
　訂正後の本件特許明細書の特許請求の範囲の請求項１及び２に係る発明（以下、本件発明１及び２という。）は次のとおりのものである。
「【請求項１】　回転ミラーにより走査されるレーザ光を周期的に受光する受光手段の出力をラインシンクとして用いて、プロッタ制御部に供給するレーザプリンタにおいて、前記受光手段の出力をＡ／Ｄ変換して制御装置に取り込み、
該制御装置で前記プロッタ制御部からのＡＣＫの入力を監視し、一定期間ＡＣＫが入力されなかったら、１ラインが終了したものとして、ラインシンク・イネーブル信号を作成し、該ラインシンク・イネーブル信号により前記受光手段の出力をラインシンク出力として前記プロッタ制御部に供給する如く構成したことを特徴とするレーザプリンタ。
　【請求項２】　前記制御装置で、ラインシンク入力幅を検出して該検出結果に基づいて前記ラインシンク・イネーブル信号を作成し、該ラインシンク・イネーブル信号により前記受光手段の出力をラインシンク出力として前記プロッタ制御部に供給する如く構成したことを特徴とする請求項１記載のレーザプリンタ。」
　イ．異議申立の理由の概要
　異議申立人 藤田敬一は、証拠として甲第１及び２号証を提出し、本件発明１及び２は、特許法第２９条第２項の規定に違反して特許されたものであるから、それらの特許は取り消されるべき旨主張している。
　ウ．異議申立人が提出した甲各号証に記載の発明
　甲第１号証（取消理由通知に引用した刊行物１、特開昭６１−１５９８６３号公報）には、次の事項が記載されている。
「第１図にはこの発明によるレーザビームプリンタの一実施例の要部が示されており、このレーザビームプリンタは、レーザビームを検知する光センサ１と、この光センサ１の出力を増幅して光センサ１の出力に対応した電圧を出力する増幅器２と、この増幅器２の出力電圧を、基準電圧と比較して、光センサ１にレーザビームが入射すると出力が「Ｈ」から「Ｌ」（または「Ｌ」から「Ｈ」）に変化する電圧比較器３があり、さらに前記電圧比較器３の後段に、電圧比較器３の最初の出力変化、すなわち、立ち下り（または立ち上り）に同期して、レーザビームが光センサ１を横切る時間（すなわち、電圧比較器３の出力パルス幅）より長くかつレーザビームの１走査周期の時間より短い範囲で任意に選定することのできるパルス幅を有する１個のパルスを発生するパルス発生回路５を設け、パルス発生回路５の出力を、その出力パルスの先頭の立ち下り（または立ち上り）に同期して画像書込みタイミングを決める制御回路４に入力するようにしたものである。
　前記パルス発生回路５は制御回路４の画像書込みタイミングを光りセンサ１へのレーザビームの入射タイミングと同期させるための同期検出回路であって、」（２頁右下欄１３行〜３頁左上欄１７行）
　甲第２号証（取消理由通知に引用した刊行物２、特開昭６２−１４５２６４号公報）には、次の事項が記載されている。
「第１図に示す実施例において、レーザ走査系の書込み開始信号検出装置は、第３図に示す従来例と同様に前走査範囲におけるレーザビームに応動して書込み開始信号を出力する光センサ１１と、上記書込み開始信号に同期したウインドウ信号を出力する信号形成回路２０と、上記ウインドウ信号と光センサ１１の出力との論理積を演算する判断手段としてのアンドゲート３０とで構成されている。」（３頁左上欄５行〜１２行）
「また、上記信号形成回路２０は、三つのタイマ２１乃至２３、ノットゲート２４並びにアンドゲート２５からなるものであり、信号形成回路２０からのウインドウ信号Ｗは、書込み開始信号Ｓと同期し、しかも、そのパルス幅が書込み開始信号のインターバルのばらつきを考慮した冗長度Ｔをもって設定されている。
　上記第一のタイマ２１は、第２図（ｂ）に示すように、光センサ１１からの書込み開始信号Ｓの立ち下がり時点から書込み開始信号Ｓの平均的インターバルＩに対し冗長度Ｔの１／２の時間を差し引いた時間Ｔ１だけローレベルを保つものであり、また、上記第二のタイマ２２は、第二図（ｃ）に示すように、第一のタイマ２１出力の立ち上がり時点から冗長度Ｔ分の時間Ｔ２だけハイレベルを保つものであり、」（３頁左上欄１８行〜同頁右上欄１２行）
「第二のタイマ２２からのウィンドウ信号Ｗは、予備走査以外の書込み開始信号Ｓに同期してこの書込み開始信号Ｓを含む範囲で出力されることになる。」（３頁右下欄１行〜４行）
「アンドゲート３０からの出力は第２図（ｆ）に示すように、予備走査以外の書込み開始信号Ｓに等しいものとなり、この出力により、電気ノイズＮを除いた書込み開始信号Ｓのみが確実に検出されることになる。」（４頁左上欄１行〜５行）
　エ．対比・判断
　（１）本件発明１について
　本件発明１の「制御装置で前記プロッタ制御部からのＡＣＫの入力を監視し、一定期間ＡＣＫが入力されなかったら、１ラインが終了したものとして、ラインシンク・イネーブル信号を作成し、該ラインシンク・イネーブル信号により前記受光手段の出力をラインシンク出力として前記プロッタ制御部に供給する」ことは上記刊行物１及び２のいずれにも記載も示唆もされておらず、当業者に周知の慣用技術でもない。
　そして、本件発明１は、「制御装置で前記プロッタ制御部からのＡＣＫの入力を監視し、一定期間ＡＣＫが入力されなかったら、１ラインが終了したものとして、ラインシンク・イネーブル信号を作成し、該ラインシンク・イネーブル信号により前記受光手段の出力をラインシンク出力として前記プロッタ制御部に供給する」ことにより、ラインシンク幅のバラツキに対処することが可能になり、よりノイズに強い構成とすることが可能になるという作用効果を呈するものである。
　したがって、本件発明１は、刊行物１及び２に記載の発明及び周知の慣用技術に基づいて当業者が容易に発明をすることができたものとすることができないから、特許法第２９条第２項の規定に違反して特許されたものとすることができない。
　（２）本件発明２について
　本件発明２は、上記本件発明１を「制御装置で、ラインシンク入力幅を検出して該検出結果に基づいて前記ラインシンク・イネーブル信号を作成し、該ラインシンク・イネーブル信号により前記受光手段の出力をラインシンク出力として前記プロッタ制御部に供給する」点に限定するものであるから、上記「（１）本件発明１について」に記載したと同様の理由により特許法第２９条第２項の規定に違反して特許されたものとすることができない。
　オ．むすび
  以上のとおりであるから、異議申立の理由及び証拠によっては、本件発明１及び２についての特許を取り消すことができない。
　また、他に本件発明１及び２についての特許を取り消すべき理由を発見しない。
　よって、結論のとおり決定する。
【異議決定日】
平成１５年３月１９日（２００３．３．１９）
【訂正の要旨】
ａ．特許請求の範囲の減縮を目的として、特許請求の範囲の請求項１に記載の「前記プロッタ制御部からの１ライン終了毎の信号を基に前記制御装置でラインシンク・イネーブル信号を作成して、」を「該制御装置で前記プロッタ制御部からのＡＣＫの入力を監視し、一定期間ＡＣＫが入力されなかったら、１ラインが終了したものとして、ラインシンク・イネーブル信号を作成し、」に訂正する。
ｂ．明瞭でない記載の釈明を目的として、特許請求の範囲の請求項１および２に記載の「該イネーブル信号」を「該ラインシンク・イネーブル信号」に補正する。
ｃ．明瞭でない記載の釈明を目的として、特許請求の範囲の請求項１および２に記載の「ラインシンクとして」を「ラインシンク出力として」に補正する。
ｄ．誤記の訂正を目的として、特許請求の範囲の請求項２の末尾に記載の「される。」を削除する。
ｅ．明瞭でない記載の釈明を目的として、明細書の段落【０００４】に記載の「前記プロッタ制御部からの１ライン終了毎の信号を基に前記制御装置でラインシンク・イネーブル信号を作成して、該イネーブル信号により前記受光手段の出力をラインシンクとして」を「該制御装置で前記プロッタ制御部からのＡＣＫの入力を監視し、一定期間ＡＣＫが入力されなかったら、１ラインが終了したものとして、ラインシンク・イネーブル信号を作成し、該ラインシンク・イネーブル信号により前記受光手段の出力をラインシンク出力として」に訂正する。
ｆ．誤記の訂正を目的として、明細書の段落【０００８】に記載の「図３は、本発明の他の実施例を示すものであり、請求項３に示した発明に対応している。」を「図３は、本発明の他の実施例を示すものであり、請求項２に示した発明に対応している。」に訂正する。
（５４）【発明の名称】
レーザプリンタ
（５７）【特許請求の範囲】
　【請求項１】　回転ミラーにより走査されるレーザ光を周期的に受光する受光手段の出力をラインシンクとして用いて、プロッタ制御部に供給するレーザプリンタにおいて、前記受光手段の出力をＡ／Ｄ変換して制御装置に取り込み、
該制御装置で
ＡＣＫの入力を監視し、一定期間ＡＣＫが入力されなかったら、１ラインが終了したものとして、ラインシンク・イネーブル信号を作成し、
ラインシンク・
出力
　【請求項２】　前記制御装置で、ラインシンク入力幅を検出して該検出結果に基づいて前記ラインシンク・イネーブル信号を作成し、該
ラインシンク・
出力
レーザプリンタ。
【発明の詳細な説明】
　【０００１】
　【産業上の利用分野】
　本発明はレーザプリンタに関し、特に回転ミラーにより走査されるレーザ光を周期的に受光する受光手段の出力を同期検知信号（ラインシンク）として用いるレーザプリンタに関する。
　【０００２】
　【従来の技術】
　レーザプリンタ方式のプロッタを使用した機器では、レーザ信号をフォトダイオードにより検出して、同期信号として用いることが多い。
　例えば、特開昭６２−１８０６６３号公報には、各走査毎の潜像形成開始位置を揃えるための変調制御用受光部を設けて、データを送出するための同期タイミング信号を出力するようにしたレーザビームプリンタが開示されている。
　【０００３】
　【発明が解決しようとする課題】
　上記従来技術に示される如き回転多面鏡（ポリゴンミラー）を用いる装置では、上述のミラーの仕上がり状態，その回転速度の均一度，回転に伴う振動等が高度に調整されている必要がある。
　しかし、上述の各要件が高度に調整されている場合でも、記録用紙から発生する静電気等が原因で、上述の同期信号にノイズが乗る場合があり、これが原因となってプロッタの誤動作を惹き起こすという場合がある。
　本発明は上記事情に鑑みてなされたもので、その目的とするところは、従来の技術における上述の如き問題を解消し、簡単な構成により、同期信号へのノイズの影響による誤動作を防止可能としたレーザプリンタを提供することにある。
　【０００４】
　【課題を解決するための手段】
　本発明の上記目的は、回転ミラーにより走査されるレーザ光を周期的に受光する受光手段の出力をラインシンクとして用いて、プロッタ制御部に供給するレーザプリンタにおいて、前記受光手段の出力をＡ／Ｄ変換して制御装置に取り込み、
該制御装置で
ＡＣＫの入力を監視し、一定期間ＡＣＫが入力されなかったら、１ラインが終了したものとして、ラインシンク・イネーブル信号を作成し、
ラインシンク・
出力
　【０００５】
　【作用】
　本発明に係るレーザプリンタにおいては、ラインシンクを入力すべきタイミングの前後の所定区間以外では、入力される信号をノイズとして排除するようにしたので、レーザプリンタの誤動作を防止することができる。
　【０００６】
　【実施例】
　以下、本発明の実施例を図面に基づいて詳細に説明する。
　図２は、本発明の一実施例に係るレーザプリンタのラインシンク制御回路の構成例を示す図である。図中、１は光電変換機能を有するフォトダイオード、２は光電流値を基準値と比較してディジタル化するコンパレータ、３は後述する如き制御を行うＣＰＵ、４はレーザプリンタの制御部（以下の説明では、これを「プロッタ制御部」という）を示している。
　本実施例に示す回路の動作は、以下の通りである。
　同期検知用のレーザ光を受光したフォトダイオード１の出力は、コンパレータ２によりディジタル値に変換されて、ラインシンク入力となる。ＣＰＵ３はこれを検出して、後述する如き動作により、その入力タイミング前後ｎ（ｓ）の期間、ｅｎａｂｌｅ信号を出力する。このｅｎａｂｌｅ出力はゲート５に入力され、ラインシンク出力を、上記ｅｎａｂｌｅ信号出力期間のみ有効とする。
　ラインシンク出力はプロッタ制御部４に入力され、これを同期信号として、画情報を出力する。また、プロッタ制御部４は、上述のラインシンク出力を受けると、ＡＣＫを返し、ＣＰＵ３にラインシンク入力済みを通知する。
　【０００７】
　図１は、上述の動作を実現するＣＰＵ３の制御動作を示すフローチャートである。以下、この動作を詳細に説明する。
　ＣＰＵ３は、プロッタの起動を監視しており（ステップ１１）、起動されると、前述のスキャニング用の回転ミラー（ポリゴンミラー）が所定の速度に達するのを待つ（ステップ１２）。ポリゴンミラーが所定の速度に達する（ロック完了）と、ラインシンクの入力監視を開始し（ステップ１３）、一定時間入力がなければ、プロッタ動作終了と判断し（ステップ１８）、処理を終了する。
　ステップ１３において、ラインシンクの入力を検知した場合には、これに対するプロッタ制御部４からのＡＣＫの入力を監視し（ステップ１４）、ＡＣＫが入力されたら、ラインシンクの入力タイミング前後ｎ（ｓ）の期間以外、ｅｎａｂｌｅ信号を「Ｌ」レベル出力とする（ステップ１５）。
　その後、更にＡＣＫの入力を監視し（ステップ１６）、一定期間ＡＣＫが入力されなかったら、１ラインが終了したものとして、ｅｎａｂｌｅ信号を「Ｈ」レベル出力とする（ステップ１９）。
　【０００８】
　一方、ステップ１６におけるＡＣＫ入力の監視において、ＡＣＫが入力された場合には、これを１ラインの継続中におけるノイズと判定し、プロッタ動作終了か否かをチェックし（ステップ１７）、プロッタ動作終了であれば、本処理を終了するが、そうでなければ、ステップ１９に戻って、マスクを継続する。
　上記実施例によれば、ラインシンク入力幅の前後ある一定区間をネゲートしているため、ノイズによるプロッタ制御部の誤動作を防止することが可能になるという効果が得られる。
　図３は、本発明の他の実施例を示すものであり、
請求項２
　本実施例によれば、実機におけるラインシング幅のバラツキに対処することが可能になり、よりノイズに強い構成とすることが可能になる。図４に、上記実施例に係るタイミングチャートを示す。
　【０００９】
　【発明の効果】
　以上、詳細に説明した如く、本発明によれば、簡単な構成により、同期信号へのノイズの影響による誤動作を防止可能としたレーザプリンタを実現できるという顕著な効果を奏するものである。
　【００１０】
【図面の簡単な説明】
　【図１】
　本発明の一実施例に係るレーザプリンタのＣＰＵ３の制御動作を示すフローチャートである。
　【図２】
　実施例のレーザプリンタのラインシンク制御回路の構成例を示す図である。
　【図３】
　本発明の他の実施例を示す、レーザプリンタのＣＰＵ３の制御動作を示すフローチャートである。
　【図４】
　実施例に係るタイミングチャートである。
　【符号の説明】
　１：フォトダイオード、２：コンパレータ、３：ＣＰＵ、４：プロッタ制御部、５：ゲート、１１〜１９，２１，２２：処理ステップ。